(57)【特許請求の範囲】
【請求項１】
上壁部に穿設された挿入孔、接点部を上部に有し且つ接触端子をハウジングの下壁部下面に露出させた固定片、及び、上記挿入孔の真下に位置しその接点部を上記固定片の接点部に下方から圧接し且つ接触端子をハウジングの下壁部下面に露出させた可動片を有するハウジングと、
ベース上面に設けられ且つ上記可動片の上記露出した接触端子が接触可能な第１の接触片、ベース上面に設けられ且つ上記第１の接触片が上記可動片の接触端子に接触している状態で上記固定片の上記露出した接触端子が接触する第２の接触片、ベース下面に設けられ且つ上記第１の接触片と電気的に接続された第１の端子、及び、ベース下面に設けられ且つ上記第２の接触片と電気的に接続された第２の端子を有するベースと、
ハウジングをハウジングの上下方向を向く軸の回りで回転可能に保持し且つハウジングを当該軸回りで所定角度だけ回転させたときに、上記可動片の接触端子が上記ベースの第１の接触片に接触すると共に上記固定片の接触端子が上記第２の接触片に接触した状態から、上記可動片の接触端子が上記第２の接触片に接触すると共に上記固定片の接触端子が上記第１の接触片に接触する状態に切り換える回転機構と
を具備することを特徴とするコネクタ。
【請求項２】
請求項１に記載のコネクタにおいて、
連結部材の一方端部を上記ハウジングの下壁部であって上記挿入孔の真下の位置に固着させると共に他方端部を上記ベースに回転自在に嵌めることで、上記回転機構を構成し、
上記固定片の接触端子と可動片の接触端子とを回転中心点に関して点対称に配すると共に、第１の接触片と第２の接触片とを上記回転中心点に関して点対称に配することで、
上記ハウジングを１８０°回転させる都度に、
上記接触端子が第１又は第２の接触片との接触状態から第２又は第１の接触片との接触状態に切り換わるようにした、
ことを特徴とするコネクタ。
【請求項３】
請求項１又は請求項２に記載のコネクタにおいて、
上記ハウジングの下壁部下面に凹部を設け、この凹部に係合可能な曲がり部を有し押圧力でこの曲がり部が伏せるように伸びるバネ部材を上記ベースの上面に設けることで、上記ハウジングを上記所定角度の位置に位置決めする位置決め機構を構成した、
ことを特徴とするコネクタ。
【発明の詳細な説明】
【技術分野】
【０００１】
この発明は、携帯電話等の無線通信機の送受信回路とアンテナとの接続を検査装置への接続に切り換えるためのコネクタに関するものである。
【背景技術】
【０００２】
図１８は、従来のコネクタを示す断面図である。
図１８に示すように、従来のコネクタ１００は、可動片１０１と固定片１１１とを、挿入孔１２１を中心に有するハウジング１２０の内部に組み付けた構成になっている（例えば、特許文献１参照）。
図１９は、図１８のコネクタの実装例を示す概略図であり、図２０は、コネクタの機能を示す断面図である。
このコネクタ１００は、図１９に示すように、携帯電話等の無線通信機２００のアンテナ２０１と送受信回路であるＲＦ回路２１０との間に実装することができる。
具体的には、図２０の（ａ）に示すように、ハウジング１２０の挿入孔１２１を上側に向けて、可動片１０１の端子１０３をＲＦ回路２１０からの線路２１１に接続すると共に、固定片１１１の端子１１３をアンテナ２０１に向かう線路２０２に接続する。
かかる状態では、可動片１０１の接点部１０２と固定片１１１の接点部１１２とが接触しており、図１９に示すアンテナ２０１とＲＦ回路２１０とが、このコネクタ１００を通じて電気的に接続している。これにより、通常の無線通信が可能である。
かかる状態で、図２０の（ｂ）に示すように、検査装置のプローブ３００を挿入孔１２１に挿入すると、プローブ３００が可動片１０１に接触する。そして、可動片１０１がプローブ３００の先端で押下されて、可動片１０１の接点部１０２と固定片１１１の接点部１１２とが離れる。
かかる状態では、可動片１０１とプローブ３００とが接触しており、図１９に示すＲＦ回路２１０とプローブ３００とが、このコネクタ１００を通じて電気的に接続した状態になる。これにより、ＲＦ回路２１０からの信号をプローブ３００を通じて、図示しない検査装置によって検査することができる。
【先行技術文献】
【特許文献】
【０００３】
【特許文献１】特開平０９−１４７９９６号公報
【発明の概要】
【発明が解決しようとする課題】
【０００４】
しかし、上記した従来のコネクタでは、次のような問題がある。
携帯電話等の無線通信機２００では、ノイズがアンテナ２０１に結合することよって、受信感度が抑圧されるという問題が発生する（イントラシステムＥＭＣ）。
このため、かかるノイズに対する対策が、無線通信機２００の開発又は試作の段階で行われる。この対策作業においては、無線通信機２００のアンテナ２０１に結合しているノイズを調査しなければならない。
しかし、上記した従来のコネクタ１００では、ＲＦ回路２１０の検査しか行うことができない。
このため、次に２つの接続方法を用いて、検査装置とアンテナ２０１とを接続し、アンテナ２０１に結合しているノイズの検査を行っている。
【０００５】
図２１は、第１の接続方法を示す概略図であり、図２２は、第２の接続方法を示す概略図である。
第１の接続方法は、図２１に示すように、アンテナ２０１とコネクタ１００との間の線路２０２を切断し、セミリジットケーブル３０１の一方端を、半田３０２によって、アンテナ２０１からの線路２０２に接続すると共に、他方端を、検査装置３１０に接続する。
これにより、アンテナ２０１に結合してるノイズをセミリジットケーブル３０１を通じて検査装置３１０に導く。
しかし、この方法は、線路２０２の切断加工やセミリジットケーブル３０１の切断加工及び半田付け等の作業が必要になるので、検査前の準備作業に長時間を要する。また、無線通信機２００によっては、線路２０２の切断加工が困難な場合もある。
【０００６】
一方、第２の接続方法は、図２２に示すように、ＲＦ回路検査用のコネクタ１００に加え、もう一つのコネクタ１００′を、アンテナ２０１とコネクタ１００との間の線路２０２上に実装する。この際、コネクタ１００′をＲＦ回路２１０側のコネクタ１００とは逆向きに接続して、アンテナ検査用とする。
これにより、コネクタ１００′を用いて、アンテナ２０１のノイズを検査することができる。
しかし、この方法は、２つのコネクタ１００，１００′を実装しなければならないので、部品コストが高くなり、また、コネクタ１００実装用のランドの他にコネクタ１００′実装用のランドを作製する必要があり、製造コストも高く付く。さらに、コネクタ１００′の実装スペースをも確保しなければならないので、無線通信機２００の小型化を阻害するおそれがある。
【０００７】
この発明は、上述した課題を解決するためになされたもので、１つのコネクタで、無線通信機の送受信回路と検査装置との接続だけでなく、アンテナと検査装置との接続にも切り換えることができるコネクタを提供することを目的とする。
【課題を解決するための手段】
【０００８】
上記課題を解決するために、請求項１の発明に係るコネクタは、上壁部に穿設された挿入孔、接点部を上部に有し且つ接触端子をハウジングの下壁部下面に露出させた固定片、及び、挿入孔の真下に位置しその接点部を固定片の接点部に下方から圧接し且つ接触端子をハウジングの下壁部下面に露出させた可動片を有するハウジングと、ベース上面に設けられ且つ可動片の露出した接触端子が接触可能な第１の接触片、ベース上面に設けられ且つ第１の接触片が可動片の接触端子に接触している状態で固定片の露出した接触端子が接触する第２の接触片、ベース下面に設けられ且つ第１の接触片と電気的に接続された第１の端子、及び、ベース下面に設けられ且つ第２の接触片と電気的に接続された第２の端子を有するベースと、ハウジングをハウジングの上下方向を向く軸の回りで回転可能に保持し且つハウジングを軸回りで所定角度だけ回転させたときに、可動片の接触端子がベースの第１の接触片に接触すると共に固定片の接触端子が第２の接触片に接触した状態から、可動片の接触端子が第２の接触片に接触すると共に固定片の接触端子が第１の接触片に接触する状態に切り換える回転機構とを具備する構成とした。
かかる構成により、ハウジングの可動片の接触端子をベースの第１の接触片に接触させると共に固定片の接触端子を第２の接触片に接触させた状態に設定することができる。
そして、無線通信機の送受信から引き出された線路をベースの第１の端子に接続すると共に、アンテナからの線路を第２の端子に接続すると、ハウジング内の可動片の接点部が固定片の接点部に圧接していることから、送受信回路とアンテナとがコネクタを通じて電気的に接続した状態になる。
この状態で、検査装置のプローブをハウジングの挿入孔内に挿入すると、プローブが可動片に接触して、可動片を押下する。この結果、固定片の接点部と可動片の接点部とが離れ、プローブが可動片を通じて送受信回路に電気的に接続する。これにより、送受信回路からの信号を、プローブを通じて検査装置により、検査することができる。
そして、プローブをハウジングの挿入孔から抜いた後、回転機構によって、ハウジングを軸回りで所定角度だけ回転させることで、上記接触状態から、可動片の接触端子が第２の接触片に接触すると共に固定片の接触端子が第１の接触片に接触する状態に切り換えることができる。
この状態で、検査装置のプローブをハウジングの挿入孔内に挿入して、可動片を押下すると、固定片の接点部と可動片の接点部とが離れ、プローブが可動片を通じてアンテナに電気的に接続する。これにより、アンテナに結合しているノイズを、プローブを通じて検査装置により、検査することができる。
【０００９】
請求項２の発明は、請求項１に記載のコネクタにおいて、連結部材の一方端部をハウジングの下壁部であって挿入孔の真下の位置に固着させると共に他方端部をベースに回転自在に嵌めることで、回転機構を構成し、固定片の接触端子と可動片の接触端子とを回転中心点に関して点対称に配すると共に、第１の接触片と第２の接触片とを回転中心点に関して点対称に配することで、ハウジングを１８０°回転させる都度に、接触端子が第１又は第２の接触片との接触状態から第２又は第１の接触片との接触状態に切り換わるようにした構成とする。
かかる構成により、ハウジングを１８０°づつ回転させることで、接続系統を切り換えることができる。
【００１０】
請求項３の発明は、請求項１又は請求項２に記載のコネクタにおいて、ハウジングの下壁部下面に凹部を設け、この凹部に係合可能な曲がり部を有し押圧力でこの曲がり部が伏せるように伸びるバネ部材をベースの上面に設けることで、ハウジングを所定角度の位置に位置決めする位置決め機構を構成した。
かかる構成により、ハウジングを回転させると、位置決め機構を構成するバネ部材の曲がり部が、ハウジング下面の押圧力で伏せ、バネ部材が伸びる。そして、ハウジングをさらに回転させ、この曲がり部がハウジング下面の凹部に至ると、バネ部材が復旧して、曲がり部がこの凹部に係合し、ハウジングが、所定角度の位置に位置決めされる。
【発明の効果】
【００１１】
以上詳しく説明したように、この発明のコネクタによれば、プローブの非挿入及びプローブ挿入後の回転機構使用により、無線通信機の送受信回路とアンテナとの接続状態、送受信回路と検査装置の接続状態、及びアンテナと検査装置の接続状態という三つの接続系統を、１つのコネクタで切り換えることができるという優れた効果がある。
この結果、図１８〜図２２に示した従来のコネクタのように、検査装置をアンテナに接続するために、線路２０２の切断加工やセミリジットケーブル３０１の切断加工及び半田付け等作業を行ったり、２つのコネクタ１００，１００′を実装したりする必要がないので、検査前の準備作業の短縮化、部品コストや製造コストの低廉化、及び、無線通信機の小型化を図ることができる。
これにより、無線通信機の開発段階の試作機等において、容易かつ、効率的に受信感度抑圧の対策が可能となる。
【００１２】
特に、請求項３の発明に係るコネクタによれば、位置決め機構によって、ハウジングを、所定角度の位置に位置決めすることができるので、ハウジング内の可動片及び固定片とベースの第１及び第２の接触片とを、確実に接続することができる。
【図面の簡単な説明】
【００１３】
【図１】この発明の第１実施例に係るコネクタの外観図である。
【図２】図１の矢視Ａ−Ａ断面図である。
【図３】ハウジングの下面図である。
【図４】ベースの上面図である。
【図５】ハウジングの回転状態を示す平面図である。
【図６】コネクタの実装方法を示す斜視図である。
【図７】コネクタの実装状態を示す概略図である。
【図８】コネクタの端子と無線通信機の線路との接続状態を示す断面図である。
【図９】コネクタの機能を示す概略図である。
【図１０】プローブの挿入状態を示す断面図である。
【図１１】プローブ挿入時におけるコネクタの機能を示す概略図である
【図１２】コネクタの切り換え状態を示す概略図である。
【図１３】切り換え状態を示す断面図である。
【図１４】プローブ挿入時におけるコネクタの機能を示す概略図である。
【図１５】この発明の第２実施例に係るコネクタの要部を破断して示す側面図である。
【図１６】位置決め機構の機能を一部破断して示す側面図である。
【図１７】ハウジングの回転状態を示す平面図である。
【図１８】従来のコネクタを示す断面図である。
【図１９】図１８のコネクタの実装例を示す概略図である。
【図２０】コネクタの機能を示す断面図である。
【図２１】第１の接続方法を示す概略図である。
【図２２】第２の接続方法を示す概略図である。
【発明を実施するための形態】
【００１４】
以下、この発明の最良の形態について図面を参照して説明する。
【実施例１】
【００１５】
図１は、この発明の第１実施例に係るコネクタの外観図であり、図２は、図１の矢視Ａ−Ａ断面図である。
図１に示すように、この実施例のコネクタ１は、ハウジング２とベース３と回転機構４とを具備する。
【００１６】
ハウジング２は、図１及び図２に示すように、上壁部２０と下壁部２１と側壁部２２とで形成された箱体であり、上壁部２０の中央部に、円柱状の突出部２０ａを有している。なお、符号１０は、マーカーであり、上壁部２０の上面の一方縁部に塗布されている。
このハウジング２は、挿入孔２３と固定片２４と可動片２５とをそ内部に有している。
【００１７】
挿入孔２３は上壁部２０の突出部２０ａに穿設されている。この挿入孔２３は、後述するプローブ３００を挿入するための孔であり、ハウジング２の中心で、突出部２０ａを上下方向に貫通している。
【００１８】
固定片２４は、断面Ｌ字状をなし、下壁部２１の左側に固定された起立部２４ａと、上壁部２０下面に当接した水平部２４ｂとを有している。
水平部２４ｂは、その先端部に接点部２４ｃを有し、起立部２４ａの下端は、下壁部２１の下面左側に露出した状態で取り付けられた接触端子２４ｄに接続している。
【００１９】
可動片２５も、断面Ｌ字状をなし、下壁部２１の右側に固定された起立部２５ａと、起立部２５ａの上端から固定片２４の接点部２４ｃ側に延出し、挿入孔２３の真下に位置する可動部２５ｂとを有している。
可動部２５ｂは、その先端部を接点部２５ｃとし、この接点部２５ｃが固定片２４の接点部２４ｃに下方から圧接している。
起立部２５ａの下端は、下壁部２１の下面右側に露出した状態で取り付けられた接触端子２５ｄに接続している。
【００２０】
一方、ベース３は、図１に示すように、ハウジング２を載置するための板体であり、その幅が、ハウジング２の幅に設定され、長さがハウジング２よりも長めに設定されている。
このベース３は、図２に示すように、第１の接触片としての接触片３１と第２の接触片としての接触片３２とを上面３ａに有し、第１の端子としての端子３３と第２の端子としての端子３４とを下面３ｂに有している。
具体的には、接触片３１が、ベース３の上面３ａ右側に設けられ、可動片２５の露出した接触端子２５ｄがこの接触片３１に接触することができるようになっている。また、接触片３２は、上面３ａの左側に設けられ、可動片２５の接触端子２５ｄが接触片３１に接触している状態で、固定片２４の露出した接触端子２４ｄがこの接触片３２に接触することができるようになっている。
一方、端子３３は、ベース３の下面３ｂであって且つ接触片３１の真下に設けられており、ビアホール３５を通じて接触片３１に電気的に接続されている。また、端子３４は、ベース３の下面３ｂであって且つ接触片３２の真下に設けられており、ビアホール３６を通じて電気的に接続されている。
【００２１】
回転機構４は、ベース３上のハウジング２を中心軸Ｍの回りで回転可能に保持する機構であり、接触端子２４ｄ，２５ｄと接触片３１，３２との接触状態を切り換える機能を有している。
具体的には、軸状の連結部材４０を中心軸Ｍ上に配し、この連結部材４０の上端部４０ａをハウジング２の下壁部２１に固着することで、連結部材４０を挿入孔２３の真下の位置させる。そして、連結部材４０の下端部４０ｂ側を、ベース３の中心に開けられた孔４１に回転自在に嵌めることで、回転機構４を構成する。
これにより、ハウジング２をハウジング２上で中心軸Ｍ回りに自由に回転させることができる。
【００２２】
図３は、ハウジング２の下面図であり、図４は、ベース３の上面図であり、図５は、ハウジング２の回転状態を示す平面図である。
図３に示すように、固定片２４の接触端子２４ｄと可動片２５の接触端子２５ｄとは、回転中心点となる連結部材４０に関して点対称に配されている。そして、図４に示すように、接触片３１と接触片３２とは、接触端子２４ｄ，２５ｄと対応する位置に配され、且つ接触端子２４ｄ，２５ｄと同様に、回転中心点となる連結部材４０に関して点対称に配されている。
【００２３】
すなわち、図５の（ａ）に示すように、マーカー１０が右側に位置する状態では、ハウジング２の接触端子２５ｄがベース３の接触片３１に接触し且つ接触端子２４ｄが接触片３２に接触している。この状態から、図５の（ｂ）に示すように、ハウジング２を回転させると、接触端子２５ｄ，２４ｄと接触片３１，３２とが非接触状態になる。そして、図５の（ｃ）に示すように、ハウジング２を１８０°回転させて、マーカー１０を左側に位置させると、接触端子２５ｄが接触片３２に接触し且つ接触端子２４ｄが接触片３１に接触している接触状態に切り換わる。さらに、ハウジング２を１８０°回転させると、元の接触状態に戻るようになっている。
【００２４】
次に、この実施例のコネクタ１が示す作用及び効果について説明する。
図６は、コネクタ１の実装方法を示す斜視図であり、図７は、コネクタ１の実装状態を示す概略図である。
図６に示すように、コネクタ１を無線通信機２００に実装する場合には、ハウジング２の突出部２０ａを上側にし、マーカー１０を送受信回路であるＲＦ回路２１０側に向けて、ハウジング２の可動片２５の接触端子２５ｄをベース３の接触片３１に接触させると共に固定片２４の接触端子２４ｄを接触片３２に接触させた状態にしておく（図２参照）。
そして、かかる状態で、コネクタ１を、無線通信機２００の基板２２０上に設けられたＲＦ回路２１０の線路２１１とアンテナ２０１の線路２０２との上に配し、コネクタ１の端子３３，３４（図２参照）を線路２１１，２０２に接続する。
すると、図７に示すように、コネクタ１が、ＲＦ回路２１０とアンテナ２０１との間に介在した状態になる。
【００２５】
図８は、コネクタ１の端子３３，３４と無線通信機２００の線路２１１，２０２との接続状態を示す断面図であり、図９は、コネクタ１の機能を示す概略図である。
図７に示したように、コネクタ１をＲＦ回路２１０とアンテナ２０１との間に接続した状態では、図８に示すように、可動片２５の接点部２５ｃが固定片２４の接点部２４ｃに圧接している。このため、ＲＦ回路２１０からの線路２１１が、端子３３と接触片３１と可動片２５と固定片２４と接触片３２と端子３４とを通じて、アンテナ２０１からの線路２０２に電気的に接続した状態になる。
したがって、この場合には、コネクタ１は、図９に示すように、ＲＦ回路２１０とアンテナ２０１とを直接接続した第１の接続系統を実現している。
【００２６】
図１０は、プローブ３００の挿入状態を示す断面図であり、図１１は、プローブ３００挿入時におけるコネクタ１の機能を示す概略図である
図８に示した状態で、図１０に示すように、プローブ３００をハウジング２の挿入孔２３内に挿入する。この実施例では、プローブ３００は、ホルダ３０１に保持されているので、ホルダ３０１の円形の凹部３０２をハウジング２の突出部２０ａに嵌合させる。
すると、ホルダ３０１中心のプローブ３００が、挿入孔２３内に進入し、可動片２５の可動部２５ｂに接触して、可動部２５ｂを押下させる。
このため、可動片２５の接点部２５ｃが固定片２４の接点部２４ｃから離れる。この結果、ＲＦ回路２１０からの線路２１１が、端子３３と接触片３１と可動片２５の可動部２５ｂを通じて、プローブ３００に電気的に接続した状態になる。
したがって、この場合には、コネクタ１は、図１１に示すように、ＲＦ回路２１０をプローブ３００を通じて検査装置３１０に接続した第２の接続系統を実現する。
これにより、ＲＦ回路２１０からの信号を、プローブ３００を通じて検査装置３１０に送り、この信号を、検査装置３１０で検査することができる。
【００２７】
図１２は、コネクタ１の切り換え状態を示す概略図であり、図１３は、切り換え状態を示す断面図であり、図１３は、プローブ３００挿入時におけるコネクタ１の機能を示す概略図である。
そして、アンテナ２０１のノイズなどを検査する場合には、プローブ３００をハウジング２の挿入孔２３から抜いた後、回転機構４によって、図１２に示すように、マーカー１０がアンテナ２０１側を向くように、ハウジング２を１８０°回転させる。
これにより、図１３に示すように、可動片２５の接触端子２５ｄが接触片３２に接触すると共に固定片２４の接触端子２４ｄが接触片３１に接触した状態に切り換わるので、この状態で、プローブ３００をハウジング２の挿入孔２３内に挿入して、可動部２５ｂを押下する。
すると、可動片２５の接点部２５ｃが固定片２４の接点部２４ｃから離れ、アンテナ２０１からの線路２０２が、端子３４と接触片３２と可動片２５の可動部２５ｂを通じて、プローブ３００に電気的に接続した状態になる。
すなわち、この場合には、コネクタ１は、図１４に示すように、アンテナ２０１をプローブ３００を通じて検査装置３１０に接続した第３の接続系統を実現する。
これにより、アンテナ２０１に結合しているノイズなどを、プローブ３００を通じて検査装置３１０におくり、このノイズを、検査装置３１０で検査することができる。
【００２８】
以上のように、この実施例によれば、プローブ３００を挿入したり、ハウジング２を１８０°づつ回転させたりすることで、１つのコネクタ１で、三つの接続系統を切り換えることができる。
【実施例２】
【００２９】
次に、この発明の第２実施例について説明する。
図１５は、この発明の第２実施例に係るコネクタ１の要部を破断して示す側面図であり、図１６は、位置決め機構の機能を一部破断して示す側面図であり、図１７は、ハウジング２の回転状態を示す平面図である。
この実施例は、位置決め機構を有している点が、上記第１実施例と異なる。
位置決め機構５は、図１５に示すように、ハウジング２の下壁部２１下面に設けられた凹部５１と、ベース３の上面に設けられたバネ部材５２とで構成されている。
【００３０】
バネ部材５２は、突出した曲がり部５２ａを中央に有した弾性部材である。このバネ部材５２は、曲がり部５２ａを上側に向けた状態で、ベース３の上面３ａの凹設された溝内５３内に嵌め込まれている。
バネ部材５２の曲がり部５２ａは、凹部５１に係合すると、ハウジング２を係止し、ハウジング２の回転を阻止して、ハウジング２の位置決めを行う。
また、バネ部材５２の曲がり部５２ａの係止力に抗して、ハウジング２を回転させると、曲がり部５２ａと凹部５１との係合が解ける。以後は、図１６に示すように、曲がり部５２ａが、ハウジング２の下面で押圧された状態になり、バネ部材５２が、溝内５３の長さ方向に伸びて、曲がり部５２ａが伏せる。これにより、バネ部材５２の曲がり部５２ａと凹部５１とが次に係合するまで、ハウジング２を回転させることができる。
【００３１】
この実施例では、図１７の（ａ）に示すように、２つの位置決め機構５が、ハウジング２とベース３との間に構成されている。
具体的には、ハウジング２の接触端子２５ｄがベース３の接触片３１に接触すると共に接触端子２４ｄが接触片３２に接触している状態で、２つの位置決め機構５の凹部５１とバネ部材５２（曲がり部５２ａ）とが係合状態になるように、２つの位置決め機構５の位置を設定した。
これにより、図１７の（ｂ）に示すように、ハウジング２を回転させると、各位置決め機構５の凹部５１とバネ部材５２（曲がり部５２ａ）との係合が解除され、一方の位置決め機構５の凹部５１が、他方の位置決め機構５のバネ部材５２側に向かう。そして、ハウジング２が１８０°回転した状態になると、すなわち、ハウジング２の接触端子２５ｄがベース３の接触片３２に接触すると共に接触端子２４ｄが接触片３１に接触した状態になると、各位置決め機構５において、凹部５１とバネ部材５２（曲がり部５２ａ）が係合する。この結果、ハウジング２が、１８０°回転した位置に位置決めされ、接触端子２５ｄと接触片３２との接触と接触、及び端子２４ｄと接触片３１との接触が保持される。
その他の構成、作用及び効果は、上記第１実施例と同様であるので、その記載は省略する。
【００３２】
なお、この発明は、上記実施例に限定されるものではなく、発明の要旨の範囲内において種々の変形や変更が可能である。
例えば、上記実施例では、ハウジング２を１８０°回転させる都度、ハウジング２の接触端子２４ｄ，２５ｄとベース３の接触片３１，３２との接触状態が切り換わるようにしたが、回転角度は１８０°に限るものではなく、ハウジング２を所定の角度だけ回転させることで、上記接触状態を切り換えるようにしても良い。
【符号の説明】
【００３３】
１…コネクタ、  ２…ハウジング、  ３…ベース、  ３ａ…上面、  ３ｂ…下面、  ４…回転機構、  ５…位置決め機構、  １０…マーカー、  ２０…上壁部、  ２０ａ…突出部、  ２１…下壁部、  ２２…側壁部、  ２３…挿入孔、  ２４…固定片、  ２４ａ，２５ａ…起立部、  ２４ｂ…水平部、  ２４ｃ，２５ｃ…接点部、  ２４ｄ，２５ｄ…接触端子、  ２５…可動片、  ２５ｂ…可動部、  ３１，３２…接触片、  ３３，３４…端子、  ３５，３６…ビアホール、  ４０…連結部材、  ４０ａ…上端部、  ４０ｂ…下端部、  ４１…孔、  ５１…凹部、  ５２…バネ部材、  ５２ａ…曲がり部、  ５３…溝、  ２００…無線通信機、  ２０１…アンテナ、  ２０２，２１１…線路、  ２１０…ＲＦ回路、  ３００…プローブ、  ３０１…ホルダ、  ３０２…凹部、  ３１０…検査装置、  Ｍ…中心軸。
【図１】
0005402718.tif 000002
【図２】
0005402718.tif 000003
【図３】
0005402718.tif 000004
【図４】
0005402718.tif 000005
【図５】
0005402718.tif 000006
【図６】
0005402718.tif 000007
【図７】
0005402718.tif 000008
【図８】
0005402718.tif 000009
【図９】
0005402718.tif 000010
【図１０】
0005402718.tif 000011
【図１１】
0005402718.tif 000012
【図１２】
0005402718.tif 000013
【図１３】
0005402718.tif 000014
【図１４】
0005402718.tif 000015
【図１５】
0005402718.tif 000016
【図１６】
0005402718.tif 000017
【図１７】
0005402718.tif 000018
【図１８】
0005402718.tif 000019
【図１９】
0005402718.tif 000020
【図２０】
0005402718.tif 000021
【図２１】
0005402718.tif 000022
【図２２】
0005402718.tif 000023